(57)【要約】【課題】開口部を少ない動作で容易に開閉することができる両引戸を提供する。【解決手段】壁部１３に沿った幅方向（一の水平方向）に配列されそれぞれ幅方向に移動して開口部１１を開閉可能な第１建具本体２および第２建具本体３と、第１建具本体２と第２建具本体３とを連動させる開閉機構４と、を有し、開閉機構４は、壁部１３に設けられて幅方向に間隔をあけて配置された第１プーリ４１および第２プーリ４２と、第１プーリ４１と第２プーリ４２との間で交差し第１プーリ４１および第２プーリ４２に８の字型に巻掛けられた無端状のベルト４３と、第１プーリ４１と同軸に設けられた第１ギア４４と、第２プーリ４２と同軸と設けられた第２ギア４５と、第１建具本体２に固定され幅方向に延びて第１ギア４４と噛み合う第１ギアレール４６と、第２建具本体３に固定されて幅方向に延びて第２ギア４５と噛み合う第２ギアレール４７と、を有する。【選択図】図４
2017210760.tif 000002
【特許請求の範囲】
【請求項１】
壁部に形成された開口部に設けられる両引戸において、
前記壁部に沿った一の水平方向に配列されそれぞれ前記一の水平方向に移動して前記開口部を開閉可能な第１建具本体および第２建具本体と、
前記第１建具本体と前記第２建具本体とを連動させる開閉機構と、を有し、
該開閉機構は、前記壁部に設けられて前記一の水平方向に間隔をあけて配置された第１プーリおよび第２プーリと、
前記第１プーリと前記第２プーリとの間で交差し前記第１プーリおよび前記第２プーリに８の字型に巻掛けられた無端状のベルトと、
前記第１プーリと同軸に設けられた第１ギアと、
前記第２プーリと同軸と設けられた第２ギアと、
前記第１建具本体に固定されて前記一の水平方向に延びて前記第１ギアと噛み合う第１ギアレールと、
前記第２建具本体に固定されて前記一の水平方向に延びて前記第２ギアと噛み合う第２ギアレールと、を有することを特徴とする両引戸。
【請求項２】
前記第１建具本体および前記第２建具本体は、それぞれ前記壁部を収容可能な空部が形成されていることを特徴とする請求項１に記載の両引戸。
【発明の詳細な説明】
【技術分野】
【０００１】
本発明は、両引戸に関する。
【背景技術】
【０００２】
従来、集合住宅などの開口部（出入口）を開閉する建具として、片引戸や両引戸などの引戸が知られている（例えば、特許文献１参照）。引き戸は片開き戸に比べると開口幅を大きく確保することができるため、バリアフリー住宅などで採用されることが多い。
【先行技術文献】
【特許文献】
【０００３】
【特許文献１】特開２００２−７０４１０号公報
【発明の概要】
【発明が解決しようとする課題】
【０００４】
バリアフリー住宅などで引戸を採用する場合、開口幅の確保に加えて少ない動作で容易に開閉できることが望まれている。
【０００５】
そこで、本発明は、開口部を少ない動作で容易に開閉することができる両引戸を提供することを目的とする。
【課題を解決するための手段】
【０００６】
上記目的を達成するため、本発明に係る両引戸は、壁部に形成された開口部に設けられる両引戸において、前記壁部に沿った一の水平方向に配列されそれぞれ前記一の水平方向に移動して前記開口部を開閉可能な第１建具本体および第２建具本体と、前記第１建具本体と前記第２建具本体とを連動させる開閉機構と、を有し、該開閉機構は、前記壁部に設けられて前記一の水平方向に間隔をあけて配置された第１プーリおよび第２プーリと、前記第１プーリと前記第２プーリとの間で交差し前記第１プーリおよび前記第２プーリに８の字型に巻掛けられた無端状のベルトと、前記第１プーリと同軸に設けられた第１ギアと、前記第２プーリと同軸と設けられた第２ギアと、前記第１建具本体に固定されて前記一の水平方向に延びて前記第１ギアと噛み合う第１ギアレールと、前記第２建具本体に固定されて前記一の水平方向に延びて前記第２ギアと噛み合う第２ギアレールと、を有することを特徴とする。
【０００７】
本発明では、第１プーリおよび第２プーリにベルトが８の字型に巻掛けられていることにより、第１プーリと第２プーリとは連動して、それぞれの軸に対して互いに反対方向となる軸回りに回転する。これにより、第１ギアと第２ギアとがそれぞれの軸に対して互いに反対方向となる軸回りに回転し、第１ギアレールと第２ギアレールとがそれぞれ一の水平方向に互いに離間する方向と近接する方向に移動することになる。その結果、本発明では、第１建具本体と第２建具本体とが連動してそれぞれ一の水平方向に互いに離間する方向と近接する方向に移動する構成となる。
【０００８】
このため、使用者が第１建具本体および第２建具本体のいずれか一方のみに他方と離間する方向に力を加えて移動させると、一方の動きに連動して他方も一方と離間する方向に移動することになる。また、使用者が第１建具本体および第２建具本体のいずれか一方のみに他方に近接する方向に力を加えて移動させると、一方の動きに連動して他方も一方に近接する方向に移動することになる。
このように、第１建具本体および第２建具本体のいずれか一方のみを移動させることで、他方も連動して移動するため、少ない動作で開口部を容易に開閉することができる。
【０００９】
また、本発明に係る両引戸では、前記第１建具本体および前記第２建具本体は、それぞれ前記壁部を収容可能な空部が形成されていることが好ましい。
このような構成とすることにより、第１建具本体および第２建具本体を壁部の芯と重なる位置に配置することができる。このため、第１建具本体および第２建具本体を壁部の芯とずれた位置に配置した場合と比べて、壁部のどちら側からでも第１建具本体および第２建具本体に手を掛けやすく開口部を容易に開閉することができる。
【発明の効果】
【００１０】
本発明によれば、開口部を容易に開閉することができる。
【図面の簡単な説明】
【００１１】
【図１】本発明の実施形態による両引戸の一例を示正面図である。
【図２】（ａ）は図１のＡ−Ａ線断面図、（ｂ）は図１のＡ−Ａ線断面に対応する閉鎖状態の両引戸を説明する図である。
【図３】図１のＢ−Ｂ線断面図。
【図４】開閉機構を説明する図で図３のＣ−Ｃ線断面図である。
【発明を実施するための形態】
【００１２】
以下、本発明の実施形態による両引戸について、図１乃至図４に基づいて説明する。
図１に示すように、本実施形態による両引戸１は、集合住宅の室内の壁部１３に形成された開口部１１を開閉するために設けられている。
本実施形態では、室内の天井高は約２５００ｍｍ、開口部１１の高さは約２０００ｍｍ、開口部１１の幅は約８００〜８５０ｍｍに設定されている。開口部１１は、下端部が床面１２と同じ高さとなるように形成されている。壁部１３のうち、開口部１１の上側の部分を開口部上壁１４とする。
ここで、壁部１３に沿った水平方向を幅方向とし、幅方向に直交する水平方向を奥行き方向とする。
【００１３】
両引戸１は、幅方向に配列された第１建具本体２および第２建具本体３と、第１建具本体２および第２建具本体３とを連動させる開閉機構４と、を有している。
第１建具本体２および第２建具本体３は、それぞれ板面が略長方形状のパネル状に形成されている。第１建具本体２および第２建具本体３は、それぞれ板面が奥行き方向を向く姿勢で、第１建具本体２が第２建具本体３の幅方向の一方側に配置されている。第１建具本体２および第２建具本体３は、それぞれ幅方向に移動可能に構成されている。
【００１４】
図１および図２（ａ）に示すように、第１建具本体２および第２建具本体３は、開口部１１を閉鎖する閉鎖状態では、第１建具本体２の幅方向他方側の端部２ａと第２建具本体３の幅方向一方側の端部３ａとを開口部の略中央部１１ａで突き合わせるように配置されている。また図２（ｂ）に示すように、第１建具本体２および第２建具本体３は、開口部１１を開放する開放状態では、第１建具本体２の幅方向他方側の端部２ａが開口部１１の幅方向一方側の縁部１１ｂと近接し、第２建具本体３の幅方向一方側の端部３ａが開口部１１の幅方向他方側の端部１１ｃと近接し、第１建具本体２の幅方向他方側の端部２ａと第２建具本体３の幅方向一方側の端部３ａとが離間するように配置されている。
【００１５】
図１および図２に示すように、第１建具本体２は、板面が奥行き方向を向く姿勢で奥行き方向の一方側に配置される第１板部２１と、板面が奥行き方向を向く姿勢で奥行き方向の他方側に配置される第２板部２２と、板面が幅方向を向く姿勢で第１板部２１および第２板部２２のそれぞれの幅方向の他方側の端部同士を連結する側板部２３と、第１板部２１および第２板部２２に支持され床面１２を転動可能なローラ２４（図１参照）と、を有している。
第１板部２１および第２板部２２は、板面が略長方形状に形成されている。第１板部２１および第２板部２２は、幅方向の寸法が開口部１１の開口幅の略１／２よりもやや大きい寸法に形成され、高さ寸法が天井高よりもやや小さい寸法に形成されている。
第１板部２１と第２板部２２とは、壁部１３の厚さ寸法（奥行き方向の寸法）よりも大きい寸法を奥行き方向にあけて互いに対向するように配置されている。
第１板部２１は、壁部１３よりも奥行き方向の一方側に配置され、第２板部２２は壁部１３よりも奥行き方向の他方側に配置されている。第１建具本体２が開放状態となると、第１板部２１と第２板部２２との間の空部２５に壁部１３が収容され、第１建具本体２が壁部１３と奥行き方向に重なるように構成されている。
【００１６】
側板部２３は、板面が略長方形状に形成されている。側板部２３は、奥行き方向の寸法が第１板部２１と第２板部２２との間の寸法と同じ寸法で、高さ寸法が開口部１１の高さ寸法よりもやや小さい寸法に形成されている。
側板部２３、下端部が第１板部２１よび第２板部２２の下端部と略同じ高さに配置され、上端部が第１板部２１および第２板部２２の上端部よりも下側に配置されている。このため、第１板部２１と第２板部２２とは、それぞれの幅方向他方側の端部のうちの下端部から床上約２０００ｍｍまで部分が側板部２３で接続されていて、床上約２０００ｍｍよりも上側の部分が接続されずに離間している。
このような側板部２３は、開口部１１の内側に配置される。
【００１７】
ローラ２４は、軸部が第１板部２１および第２板部２２の下端部近傍に固定されている。ローラ２４は、幅方向に転動可能に構成されている。
【００１８】
第２建具本体３は、第１建具本体２と幅方向に対称となる形状に形成され、開口部１１の幅方向の中央部より幅方向他方側に配置されている。このため、第２建具本体３の形状の説明を省略する。
なお、第２建具本体３の各部材は、それぞれ対応する第１建具本体２の各部材と同じ名称で異なる符号で示し、第１板部３１、第２板部３２、側板部３３、ローラ３４、および空部３５とする。
【００１９】
図２乃至図４に示すように、開閉機構４は、開口部１１の上側に設けられている。開閉機構４は、幅方向に間隔をあけて配置された第１プーリ４１および第２プーリ４２と、第１プーリ４１および第２プーリ４２に巻掛けられた無端状のベルト４３と、第１プーリ４１とそれぞれ同軸に回転する一対の第１ギア４４，４４と、第２プーリ４２とそれぞれ同軸に回転する一対の第２ギア４５，４５と、一対の第１ギア４４，４４とそれぞれ噛み合う一対の第１ギアレール４６，４６と、一対の第２ギア４５，４５とそれぞれ噛み合う一対の第２ギアレール４７，４７と、を有している。
以下では、奥行き方向の一方側から見た（図４の紙面に直交する方向の手前側から奥側へ向かって見た）右回りを右回りと示し、その反対の左回りを左回りと示している。
【００２０】
第１プーリ４１、第２プーリ４２およびベルト４３は、開口部上壁１４の内部に設けられている。なお、図４では、開口部上壁１４の内部の第１プーリ４１、第２プーリ４２およびベルト４３を実線で示している。
第１プーリ４１および第２プーリ４２は、それぞれの軸線がともに奥行き方向に延びる姿勢に配置され、軸線を中心として右回りおよび左回りに回転可能に構成されている。第１プーリ４１は、開口部上壁１４の内部における開口部１１の幅方向一方側の縁部近傍の上側に配置され、第２プーリ４２は、開口部上壁１４の内部における開口部１１の幅方向他方側の縁部近傍の上側に配置されている。
【００２１】
ベルト４３は、第１プーリ４１と第２プーリ４２との間で１度クロスし奥行き方向から見て８の字型となるように第１プーリ４１および第２プーリ４２に巻き掛けられている。
このため、第１プーリ４１が右回りに回転すると、第１プーリ４１の回転に合わせてベルト４３のうちの第１プーリ４１に巻き掛けられている部分も右回りに回転し、ベルト４３のうちの第２プーリ４２に巻き掛けられている部分が左回りに回転し、第２プーリも左回りに回転する。
【００２２】
反対に、第１プーリ４１が左回りに回転すると、第１プーリ４１の回転に合わせてベルト４３のうちの第１プーリ４１に巻き掛けられている部分も左回りに回転し、ベルト４３のうちの第２プーリ４２に巻き掛けられている部分が右回りに回転し、第２プーリも右回りに回転する。
同様に、第２プーリが右回りに回転すると第１プーリ４１が左回りに回転し、第２プーリ４２が左回りに回転すると第１プーリ４１が右回りに回転する。
このように第１プーリ４１と第２プーリ４２とは、連動して互いに異なる方向に回転するように構成されている。
【００２３】
一対の第１ギア４４，４４は、一方が開口部上壁１４の奥行き方向の一方側に設けられ、他方が開口部上壁１４の奥行き方向の他方側に設けられている。一対の第１ギア４４，４４は、それぞれ第１プーリ４１と同軸に配置され、第１プーリ４１との間で互いに回転力が伝達されてともに回転するように構成されている。
一対の第２ギア４５，４５は、一方が開口部上壁１４の奥行き方向の一方側に設けられ、他方が開口部上壁１４の奥行き方向の他方側に設けられている。一対の第２ギア４５，４５は、それぞれ第２プーリ４２と同軸に配置され、第２プーリ４２との間で互いに回転力が伝達されてともに回転するように構成されている。
【００２４】
一対の第１ギアレール４６，４６は、それぞれ直線状に形成され、幅方向に延在する姿勢に配置されている一対の第１ギアレール４６，４６は、一方が第１建具本体２の第１板部２１の奥行き方向他方側の面（開口部上壁１４と対向する面）に固定され、他方が第１建具本体２の第２板部２２の奥行き方向一方側の面（開口部上壁１４と対向する面）に固定されている。
【００２５】
第１板部２１に固定された第１ギアレール４６は、開口部上壁１４の奥行き方向の一方側に設けられた第１ギア４４の下側に設けられてこの第１ギア４４と噛み合い、第２板部２２に固定された第１ギアレール４６は、開口部上壁１４の奥行き方向の他方側に設けられた第１ギア４４の下側に設けられてこの第１ギア４４と噛み合うように構成されている。
一対の第１ギア４４，４４と一対の第１ギアレール４６，４６とは、一対の第１ギア４４，４４が回転すると一対の第１ギアレール４６，４６が幅方向に移動し、一対の第１ギアレール４６，４６が幅方向に移動すると一対の第１ギア４４，４４が回転し、一対の第１ギア４４，４４の回転と一対の第１ギアレール４６，４６の幅方向の移動とが連動するように構成されている。
【００２６】
一対の第２ギアレール４７，４７は、それぞれ直線状に形成され、幅方向に延在する姿勢に配置されている。一対の第２ギアレール４７，４７は、一方が第１建具本体２の第１板部２１の奥行き方向他方側の面（開口部上壁１４と対向する面）に固定され、他方が第１建具本体２の第２板部２２の奥行き方向一方側の面（開口部上壁１４と対向する面）に固定されている。
【００２７】
第１板部２１に固定された第２ギアレール４７は、開口部上壁１４の奥行き方向の一方側に設けられた第２ギア４５の下側に設けられてこの第２ギア４５と噛み合い、第２板部２２に固定された第２ギアレール４７は、開口部上壁１４の奥行き方向の他方側に設けられた第２ギア４５の下側に設けられてこの第２ギア４５と噛み合うように構成されている。
一対の第１ギア４４，４４と一対の第２ギアレール４７，４７とは、一対の第２ギア４５，４５が回転すると一対の第２ギアレール４７，４７が幅方向に移動し、一対の第２ギアレール４７，４７が幅方向に移動すると一対の第２ギア４５，４５が回転し、一対の第２ギア４５，４５の回転と一対の第２ギアレール４７，４７の幅方向の移動とが連動するように構成されている。
【００２８】
次に、両引戸１の開閉方法について説明する。
まず、両引戸１を閉鎖状態から開放状態とする方法について説明する。
第１建具本体２を押すまたは引いて、第１建具本体２を幅方向一方側に移動させる。
このようにすると、第１建具本体２と共に一対の第１ギアレール４６，４６が幅方向一方側に移動し、一対の第１ギア４４，４４が右方向に回転する。第１プーリ４１が一対の第１ギア４４，４４と共に右方向に回転してベルト４３が回転し、ベルト４３の回転によって第２プーリ４２が左方向に回転する。そして、一対の第２ギア４５，４５が第２プーリ４２と共に左方向に回転し、一対の第２ギアレール４７，４７が第２建具本体３と共に幅方向他方側に移動する。
このように、第１建具本体２を幅方向一方側に移動させると、連動して第２建具本体３が幅方向他方側に移動し、第１建具本体２と第２建具本体３とが互いに離間するため、開口部１１が開放される。
両引戸１は、開放状態となると、第１建具本体２の空部２５および第２建具本体３の空部３５に壁部１３が入り込んだ状態となり、第１建具本体２および第２建具本体３が壁部１３と奥行き方向に重なった状態となる。
【００２９】
続いて、両引戸１を開放状態から閉鎖状態とする方法について説明する。
第１建具本体２を押すまたは引いて、第１建具本体２を幅方向他方側に移動させる。
このようにすると、第１建具本体２と共に一対の第１ギアレール４６，４６が幅方向他方側に移動し、一対の第１ギア４４，４４が左方向に回転する。第１プーリ４１が一対の第１ギア４４，４４と共に左方向に回転してベルト４３が回転し、ベルト４３の回転によって第２プーリ４２が右方向に回転する。そして、一対の第２ギア４５，４５が第２プーリ４２と共に右方向に回転し、一対の第２ギアレール４７，４７が第２建具本体３と共に幅方向一方側に移動する。
このように、第１建具本体２を幅方向他方側に移動させると、連動して第２建具本体３が幅方向一方側に移動し、第１建具本体２と第２建具本体３とが互いに近接するため、開口部１１が閉鎖される。
なお、第１建具本体２に代わって第２建具本体３を押すまたは引いて移動させても、第２建具本体３に連動して第１建具本体２が移動するため、開口部１１を開閉することができる。
【００３０】
次に、上述した本実施形態による両引戸の作用・効果について図面を用いて説明する。
上述した本実施形態による両引戸１では、使用者が第１建具本体２および第２建具本体３のいずれか一方を移動させると、他方も連動して移動するため、第１建具本体２および第２建具本体３のいずれか一方のみを移動させる少ない動作で開口部１１を容易に開閉することができる。
【００３１】
また、本実施形態による両引戸１では、第１建具本体２および第２建具本体３は、それぞれ壁部１３が入り込むことができる空部２５，３５が形成されて、開口部１１を開口した際に壁部１３が入り込むように構成されている。これにより、第１建具本体２および第２建具本体３を壁部１３の芯と重なる位置に配置することができる。このため、第１建具本体２および第２建具本体３を壁部１３の芯とずれた位置に配置した場合と比べて、壁部１３のどちら側からでも第１建具本体２および第２建具本体３に手を掛けやすく開口部１１を容易に開閉することができる。
【００３２】
以上、本発明による両引戸の実施形態について説明したが、本発明は上記の実施形態に限定されるものではなく、その趣旨を逸脱しない範囲で適宜変更可能である。
例えば、上記の実施形態では、第１建具本体２および第２建具本体３は、それぞれ壁部１３を収容可能な空部２５，３５が形成されているが、このような空部２５，３５が形成されていなくてもよい。第１建具本体２および第２建具本体３に空部２５，３５が形成されていない場合は、第１建具本体２および第２建具本体３が、壁部１３と奥行き方向にずれた位置に配置されていてもよい。
また、壁部１３に第１建具本体２および第２建具本体３を収容可能な空部が形成されていて、開放状態となると第１建具本体２および第２建具本体３が壁部１３の空部に収容されるように構成されていてもよい。
【００３３】
また、上記の実施形態では、開閉機構４には、一対の第１ギア４４，４４と、一対の第２ギア４５，４５と、一対の第１ギア４４，４４とそれぞれ噛み合う一対の第１ギアレール４６，４６と、一対の第２ギア４５，４５とそれぞれ噛み合う一対の第２ギアレール４７，４７と、が設けられているが、それぞれ一対ではなく、１つまたは３つ以上設けられていてもよい。
【符号の説明】
【００３４】
１  両引戸
２  第１建具本体
３  第２建具本体
４  開閉機構
１１  開口部
１２  床面
１３  壁部
１４  開口部上壁
２５  空部
３５  空部
４１  第１プーリ
４２  第２プーリ
４３  ベルト
４４  第１ギア
４５  第２ギア
４６  第１ギアレール
４７  第２ギアレール
【図１】
2017210760.tif 000003
【図２】
2017210760.tif 000004
【図３】
2017210760.tif 000005
【図４】
2017210760.tif 000006